【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
サンプル（Ｐ）が、受け入れ要素（３１１）、特にスワブによって受け入れられ、
前記受け入れ要素（３１１）が、少なくとも部分的に圧縮可能である抽出器具（３４０）の中に少なくとも部分的に挿入され、
サンプル（Ｐ）が、処理剤（ＴＡ）、特に溶媒を用いて、特に前記抽出器具（３４０）を圧縮することによって前記受け入れ要素（３１１）から分離され、特に放出される、
特に生体サンプル（Ｐ）を特に該サンプル（Ｐ）の分子生物学的な検査のために前処理する方法であって、
前記抽出器具（３４０）は、前記サンプル（Ｐ）を前記受け入れ要素（３１１）から分離するために、該抽出器具（３４０）を圧縮することによって閉じられ、及び／又は
前記処理剤（ＴＡ）は、移送器具（３２０）、特にシリンジを用いて前記抽出器具（３４０）の中に該抽出器具（３４０）の出口（３４４）を通じて導入され、及び／又は
前記特に前処理された前記サンプル（Ｐ）は、前記移送器具（３２０）を用いて前記抽出器具（３４０）から特に前記出口（３４４）を通じて取り出され、及び／又は
前記サンプル（Ｐ）は、分配器具（３６０）の中に導入され、該分配器具（３６０）内で濾過される、
ことを特徴とする方法。
【請求項２】
前記抽出器具（３４０）は、請求項１１から請求項１８のいずれか１項に従って設計されることを特徴とする請求項１に記載の方法。
【請求項３】
前記分配器具（３６０）は、請求項１９から請求項２４のいずれか１項に従って設計されることを特徴とする請求項１又は請求項２に記載の方法。
【請求項４】
前記サンプル（Ｐ）は、前記移送器具（３２０）を用いて前記抽出器具（３４０）から取り出され、濾過及び／又は検査のために分配器具（３６０）又はカートリッジ（１００）に送出されることを特徴とする請求項１から請求項３のいずれか１項に記載の方法。
【請求項５】
前記抽出器具（３４０）のバルブ（３４７）が、特に、前記サンプル（Ｐ）及び／又は前記処理剤（ＴＡ）が抽出中に該抽出器具（３４０）及び／又は該抽出器具（３４０）の入口（３４３）から流出又は噴出することが防止されるように、該抽出器具（３４０）を圧縮することによって閉じられることを特徴とする請求項１から請求項４のいずれか１項に記載の方法。
【請求項６】
前記分配器具（３６０）は、前記サンプル（Ｐ）が受け入れられる及び／又は濾過される前に該サンプル（Ｐ）を検査するためにカートリッジ（１００）に流体的に結合されることを特徴とする請求項１から請求項５のいずれか１項に記載の方法。
【請求項７】
前記サンプル（Ｐ）は、前記分配器具（３６０）のピストン（３６２）を通して該分配器具（３６０）の中に導入されることを特徴とする請求項１から請求項６のいずれか１項に記載の方法。
【請求項８】
前記分配器具（３６０）を作動させることにより、特に該分配器具（３６０）内で前記ピストン（３６２）を軸線方向に移動することにより、前記サンプル（Ｐ）は、該サンプル（Ｐ）を検査するためにフィルタ（３６９）を通して濾過され及び／又はそれを通して特にカートリッジ（１００）に分配されることを特徴とする請求項１から請求項７のいずれか１項に記載の方法。
【請求項９】
動物、特にブタからの唾液又は粘膜が、その後の前記検査のために前記サンプル（Ｐ）として前処理されることを特徴とする請求項１から請求項８のいずれか１項に記載の方法。
【請求項１０】
核酸配列が、特に該核酸配列を好ましくは電気化学的にその後に検出又は識別するために、前記サンプル（Ｐ）から抽出及び／又は濾過されることを特徴とする請求項１から請求項９のいずれか１項に記載の方法。
【請求項１１】
抽出器具（３４０）が、抽出チャンバ（３４５）と、該抽出チャンバ（３４５）を定める又はその境界を定めるための壁（３４６）とを含み、
前記壁（３４６）が、少なくとも部分的に弾性変形可能である、
特に生体サンプル（Ｐ）を受け入れ要素（３１１）、特にスワブから抽出するための抽出器具（３４０）であって、
抽出器具（３４０）が、少なくとも１つのバルブ（３４７）を含み、前記壁（３４６）を圧縮することによって該バルブ（３４７）を作動させることが可能であり、及び／又は
前記壁（３４６）は、第１の側面部分（３４６Ａ）及び第２の側面部分（３４６Ｂ）を含み、該第１の側面部分（３４６Ａ）は、該第２の側面部分（３４６Ｂ）よりも剛性及び／又は肉厚である、
ことを特徴とする抽出器具（３４０）。
【請求項１２】
前記バルブ（３４７）は、フィルムバルブとして設計され、及び／又は前記バルブ（３４７）は前記壁（３４６）を圧縮することによって閉じることができることを特徴とする請求項１１に記載の抽出器具。
【請求項１３】
前記バルブ（３４７）は、断面が好ましくは少なくとも実質的に楕円形である少なくとも実質的に平面のバルブ本体（３４８）を含むことを特徴とする請求項１１又は請求項１２に記載の抽出器具。
【請求項１４】
前記バルブ本体（３４８）は、前記抽出器具（３４０）及び／又は前記壁（３４６）を圧縮することによって圧縮されることが可能であることを特徴とする請求項１３に記載の抽出器具。
【請求項１５】
前記バルブ本体（３４８）は、前記抽出チャンバ（３４５）の中に延びることを特徴とする請求項１３又は請求項１４に記載の抽出器具。
【請求項１６】
前記抽出器具（３４０）は細長のものであり、及び／又はその断面は少なくとも実質的に楕円形又は円形のものであり、及び／又は
前記抽出チャンバ（３４５）の断面が楕円形であることを特徴とする請求項１１から請求項１５のいずれか１項に記載の抽出器具。
【請求項１７】
前記第１の側面部分（３４６Ａ）及び前記第２の側面部分（３４６Ｂ）は、各々が前記壁（３４６）の平坦側面を含む又は形成することを特徴とする請求項１１から請求項１６のいずれか１項に記載の抽出器具。
【請求項１８】
前記第１の側面部分（３４６Ａ）及び前記第２の側面部分（３４６Ｂ）は、前記バルブ（３４７）が閉じるように該バルブ（３４７）に対して押圧することができることを特徴とする請求項１１から請求項１７のいずれか１項に記載の抽出器具。
【請求項１９】
分配器具（３６０）が、ハウジング（３６１）及びピストン（３６２）を含み、
前記ピストン（３６２）が、サンプル（Ｐ）を分配するために前記ハウジング（３６１）内で軸線方向に移動されることが可能である、
特に生体サンプル（Ｐ）をカートリッジ（１００）に分配するための分配器具（３６０）であって、
前記ピストン（３６２）は、該ピストン（３６２）を通って軸線方向に延びるピストンチャネル（３６２Ｂ）を含み、及び／又は
分配器具（３６０）が、前記サンプル（Ｐ）を濾過するための特に多層のフィルタ（３６９）を含む、
ことを特徴とする分配器具（３６０）。
【請求項２０】
前記サンプル（Ｐ）は、前記ピストンチャネル（３６２Ｂ）を通して分配器具（３６０）の中に導入することができることを特徴とする請求項１９に記載の分配器具。
【請求項２１】
前記ピストン（３６２）は、移送器具（３２０）及び／又はシリンジのための接続部（３６２Ａ）を含む又は形成することを特徴とする請求項１９又は請求項２０に記載の分配器具。
【請求項２２】
分配器具（３６０）が、出口（３６４）を含み、前記フィルタ（３６９）は、該出口（３６４）上又はその直ぐ上流に配置されることを特徴とする請求項１９から請求項２１のいずれか１項に記載の分配器具。
【請求項２３】
前記フィルタ（３６９）は、前記ハウジング（３６１）内に配置されることを特徴とする請求項１９から請求項２２のいずれか１項に記載の分配器具。
【請求項２４】
分配器具（３６０）が、チャンバ（３６５）を含み、前記ピストン（３６２）及び前記フィルタ（３６９）は、軸線方向に該チャンバ（３６５）を定める又はその境界を定めることを特徴とする請求項１９から請求項２３のいずれか１項に記載の分配器具。
【請求項２５】
キット（３００）が、サンプル（Ｐ）を受け入れるための受け入れ要素（３１１）を有する受け入れ器具（３１０）と、該受け入れ要素（３１１）からサンプル（Ｐ）を抽出するための抽出器具（３４０）と、カートリッジ（１００）にサンプル（Ｐ）を分配するための分配器具（３６０）とを含む、
特に生体サンプル（Ｐ）を特に該サンプル（Ｐ）の分子生物学的な検査のために前処理するためのキット（３００）であって、
前記抽出器具（３４０）は、請求項１１から請求項１８のいずれか１項に従って設計され、及び／又は
前記分配器具（３６０）は、請求項１９から請求項２４のいずれか１項に従って設計される、
ことを特徴とするキット（３００）。
【請求項２６】
キット（３００）が、前記分配器具（３６０）の中に前記サンプル（Ｐ）を導入するための移送器具（３２０）、特にシリンジを含むことを特徴とする請求項２５に記載のキット。
【請求項２７】
キット（３００）が、前記サンプル（Ｐ）を処理するための処理剤（ＴＡ）を含み、該処理剤（ＴＡ）は、好ましくは、細胞破壊のための溶解緩衝液である又はそれを含むことを特徴とする請求項２５又は請求項２６に記載のキット。